(57)【要約】      （修正有）【課題】哺乳瓶、おしゃぶり、瓶栓及び瓶蓋を収容できるような収容空間を備える携帯型滅菌器を提供する。【解決手段】携帯型滅菌器１００は、電源供給部１１１と紫外線照射部１１２を有する滅菌機構１１が有する滅菌カバー１と、滅菌カバー１と連接して収容空間２１１を生じる収容空瓶２が含まれ、滅菌カバー１は紫外線照射部１１２から紫外線で収容空間２１１を照射して滅菌する。【選択図】図２
0003188870.tif 000002
【実用新案登録請求の範囲】
【請求項１】
哺乳瓶、おしゃぶり、瓶栓及び瓶蓋の一つ又は複数を収容して滅菌する携帯型滅菌器であって、
カバーと前記カバーに設置される滅菌機構を有し、前記滅菌機構が電源供給部と紫外線照射部を有し、前記紫外線照射部が電源供給部に接続しキャップ方向に紫外線を照射し、結合部が前記カバーの延長上に位置する滅菌カバーと、
収容部と収容部の延長上に位置する連接部を有し、前記連接部が前記結合部と結合することによって前記カバーが前記キャップ方向に収容部を覆い、密閉した収容空間が生じ、前記紫外線照射部から放射した紫外線が前記収容空間に照射することによって前記収容空間に滅菌処理を行う収容瓶と
を備えることを特徴とする携帯型滅菌器。
【請求項２】
前記連接部が前記収容部の上方への延長上に位置する延長板と、前記延長板が凸状に膨らんだ係止具とを有し、かつ前記結合部が前記係止具に対応する係止孔を設置することを特徴とする請求項１記載の携帯型滅菌器。
【請求項３】
前記カバーの端部が階段状刻み目を有し、かつ前記収容瓶の端部が階段状刻み目に対応する階段状突起部を有することを特徴とする請求項１記載の携帯型滅菌器。
【請求項４】
前記連接部がねじ溝部を有し、かつ前記結合部は前記ねじ溝部に対応するねじ穴部があることを特徴とする請求項１記載の携帯型滅菌器。
【請求項５】
前記連接部が凸輪部であり、前記結合部が前記凸輪部に対応する溝部であることを特徴とする請求項１記載の携帯型滅菌器。
【請求項６】
前記滅菌機構に前記電源供給部の上にあるカバープレートと前記電源供給部の電源スイッチとの間にある隙間に設置される押し子が含まれ、前記押し子を押すことにより電源スイッチを作動させることを特徴とする請求項１記載の携帯型滅菌器。
【請求項７】
前記カバーの下方延長上に位置し、前記結合部を含むリングキャップが前記収容部と接合して密閉することで収容空間が生じることを特徴とする請求項１記載の携帯型滅菌器。
【請求項８】
前記滅菌機構にさらに前記電源供給部に接続されるタイマーが含まれることを特徴とする請求項１記載の携帯型滅菌器。
【請求項９】
前記収容空間の断面積は収容部の高さが下がるにつれて断面積が減少することを特徴とする請求項１記載の携帯型滅菌器。
【請求項１０】
前記携帯型滅菌器の高さが２５０センチから３５０センチまでで、前記カバーと前記収容部が結合される所の断面の長さと幅が７５センチから１００センチまでで、瓶底の長さと幅が５５センチから８０センチまでであることを特徴とする請求項１記載の携帯型滅菌器。
【考案の詳細な説明】
【技術分野】
【０００１】
本考案は滅菌器に関するものであり、特に哺乳瓶、おしゃぶり、瓶栓及び瓶蓋が収容できるような収容空間を備えることを特徴とする携帯型滅菌器に関する考案である。
【背景技術】
【０００２】
出生後六ヶ月未満の幼児の免疫系はまだ未成熟のため、幼児の健康のために幼児と彼らが接触する食品に注意を払うことが必要である。幼児の主食は一般的にはミルクや母乳である。それ故、食事を与える時によく用いる哺乳瓶、おしゃぶり、瓶栓及び瓶蓋は使用前と使用後に徹底的に洗浄・消毒する必要があり、そうしなければ幼児の健康を損う可能性がある。
【考案の概要】
【考案が解決しようとする課題】
【０００３】
従来の消毒には、消毒ケースを用いて高温水蒸気で哺乳瓶、おしゃぶり、瓶栓及び瓶蓋を消毒する方法、またはお湯を沸騰させて、おしゃぶりを３〜５分、哺乳瓶、瓶栓及び瓶蓋を８〜１２分温めた後、お湯から取り出して乾かす方法がある。
【０００４】
しかし、外出する保護者にとって、消毒ケースは大きく、かつ電力も必要で、携帯するには不適切である。一方、沸騰したお湯の取得が困難なため、それを以って消毒する方法も室外では適切ではない。なお、従来の消毒方法としては高温の水蒸気やお湯で消毒するわけだが、火傷を引き起こしやすい。さらにプラスチックやゴムなどの高分子材料が高温の水蒸気やお湯と接触することにより有害物質が発生する可能性もある。
【課題を解決するための手段】
【０００５】
故に、本考案は携帯に相応しく、さらにプラスチックやゴムなどの高分子材料に有害物質を発生させることのない携帯型滅菌器を提供する。
【０００６】
本考案は従来の技術の問題を解決する方法として、哺乳瓶、おしゃぶり、瓶栓及び瓶蓋の一つ又は複数を収納して滅菌する携帯型滅菌器であって、
カバーと、カバーに設置される電源供給部と、電源供給部に接続してキャップ方向に紫外線を照射する紫外線照射部を有する滅菌機構と、カバーの結合部を含む滅菌カバーと、
収容部と、結合部と繋ぎ合わされる収容部の連接部とを有し、をカバーがキャップ方向に収容部を覆うことによって密閉した収容空間が生じ、紫外線照射部からの紫外線が収容空間に照射することによって収容空間を滅菌する収容瓶
を備えることを特徴とする携帯型滅菌器を提供する。
【０００７】
本考案の1つの実施例では携帯型滅菌器の連接部には、収容部の上方に延伸されている延長板と係止具が含まれ、かつ結合部には係止具に対応する係止孔が設置される。
【０００８】
本考案の1つの実施例では携帯型滅菌器のカバーの端部は階段状刻み目を有し、かつ前記収容瓶の端部は階段状刻み目に対応する階段状突起部を有する。
【０００９】
本考案の1つの実施例では携帯型滅菌器の連接部はねじ溝部を有し、かつ結合部はねじ溝部に対応するねじ穴部である。
【００１０】
連接部は凸輪部であり、結合部は凸輪部に対応する溝部である。
【００１１】
本考案の1つの実施例では携帯型滅菌器の滅菌機構はさらに押しボタンスイッチを有し、押しボタンスイッチはカバープレートと押し子が含まれ、カバープレートは電源供給部の上にあり、電源供給部の電源スイッチとの間に隙間がある、かつ押し子は隙間に設置されて、それを押すことにより電源スイッチが発動する。
【００１２】
本考案の1つの実施例では携帯型滅菌器のカバーの下方はリングキャップであり、結合部はリングキャップに位置し、かつリングキャップは収容部と共に密閉した収容空間を生じさせる。
【００１３】
本考案の1つの実施例では携帯型滅菌器の滅菌機構はさらに電源供給部と接続されたタイマーが含まれる。
【００１４】
本考案の1つの実施例では携帯型滅菌器の収容空間の断面積は収容部高さが下がるにつれて断面積も減少する。
【００１５】
本考案の1つの実施例では携帯型滅菌器の携帯型滅菌器の高さは２０５センチから３５０センチまでで、カバーと収容部とが結合する所の断面の長さと幅は７５センチから１００センチまでであり、瓶底の長さと幅は５５センチから８０センチまでである。
【考案の効果】
【００１６】
本考案で採用した技術手段により、前記携帯型滅菌器は哺乳瓶、おしゃぶり、瓶栓及び瓶蓋を収容できる収容空間があり、紫外線により収容空間中の空気を励起してオゾンを発生させ、前記オゾンにより哺乳瓶、おしゃぶり、瓶栓及び瓶蓋の細菌と匂いを除去できる。なお、前記携帯型滅菌器は紫外線により滅菌するもので、体積が小さく、省エネの利点を持つ。さらに、紫外線による滅菌方法は高温な水蒸気やお湯による火傷を防ぎ、さらに高温の水蒸気やお湯によるプラスチックやゴムなど高分子材料の有害物質発生の問題を避け、さらに幼児と保護者が有害物の長期的曝露により引き起こされる慢性中毒を避ける。
【００１７】
本考案の具体的な実施形態については、以下の実施形態及び添附図面により更に説明をする。
【図面の簡単な説明】
【００１８】
【図１】本考案の実施形態に係る携帯型滅菌器を示す透視図である。
【図２】本考案の実施形態に係る携帯型滅菌器を示す分解図である。
【図３】本考案の実施形態に係る携帯型滅菌器の滅菌カバーを示すブロック図である。
【図４】本考案の実施形態に係る携帯型滅菌器の使用状態を示すイメージ図である。
【図５】本考案の実施形態に係る携帯型滅菌器の滅菌カバーを示す透視図である。
【図６】本考案の別の実施形態に係る携帯型滅菌器を示す透視図である。
【図７】本考案の別の実施形態に係る携帯型滅菌器を示す透視図である。
【００１９】
以下にて、図面を参照し、本考案の実施の形態について例示的に詳しく説明する。ただし、以下の実施の形態に記載されている構成要素はあくまで例示であり、本考案の技術範囲をそれらのみに限定する趣旨のものではない。
【考案を実施するための形態】
【００２０】
図１と図２が示すように、本考案の実施形態に係る携帯型滅菌器１００は、収容した哺乳瓶３０１、おしゃぶり３０２、瓶栓３０３、瓶蓋３０４（図４参照）のうち一つ又は複数を滅菌する。前記携帯型滅菌器１００は、滅菌カバー及び収容瓶を含む。
【００２１】
前記滅菌カバー１は、滅菌機構１１及びカバー１２を含む。前記滅菌機構１１は、カバー１２に設置され、かつ電源供給部１１１及び紫外線照射部１１２を含む。前記電源供給部１１１は紫外線照射部１１２と接続し、前記紫外線照射部１１２は、キャップ方向Ｄに紫外線を照射する。前記カバー１２からは結合部１２１が延設されている。前記電源供給部１１１はバッテリー収納部としても成り立つ。前記収容瓶２は収容部２１が含まれ、前記収容部２１は前記カバー１に前記キャップ方向Ｄへ向けて覆うことにより前記カバー１と共に密閉した収容空間２１１を生じさせる。詳しく言うと、前記収容部２１には連接部２１２が形成され、前記収容空間２１１は前記連接部２１２と接合部１２１と接合することにより前記カバー１２と前記収容部２１によって密閉され、かつ前記収容空間２１１の入り口２１３が前記紫外線照射部１１２の紫外線照射の方向に位置することにより、前記紫外線照射部１１２が前記収容空間２１１を滅菌する。図２から図４までに示したように、前記紫外線照射部１１２は電源供給部１１１から電力を受け取り、キャップ方向Ｄに照射する紫外線により収容空間２１１中の空気を励起してオゾンを発生させ、前記収容空間２１１にオゾンを充満させる。オゾンは細菌、ウィルス、黴菌など単細胞生物を死亡させたり繁殖能力を喪失させたりすることができる、故に哺乳瓶３０１、おしゃぶり３０２、瓶栓３０３及び瓶蓋３０４の細菌と臭いが除去できる。他には、前記カバー１２は紫外線を濾過できる素材で作れることが好ましく、本実施形態では、カバー１２は紫外線を濾過できるポリプロピレンで造られる。これにより紫外線が目を傷つけることを防ぐ。当然、本考案はそれに限らず、カバー１２は紫外線を濾過できない素材で作ることもできる。
【００２２】
図１、図２及び図４が示すように、本考案の携帯型滅菌器１００の実施形態として、連接部２１２は延長板２１４と係止具２１５が含まれる、前記延長板２１４は前記収容部２１から上（即ち前記収容部２１の高さに沿った方向）の延長上にあり、前記係止具２１５は前記延長板２１４の凸状に形成された部分であり、前記結合部１２１は前記係止具２１５に対応する係止孔１２２が設置される。前記係止孔１２２が前記係止具２１５を係止することで、前記カバー１２と前記収容部２１を接合させ、前記収容空間２１１をカバー１２によって密閉させる。
【００２３】
図２と図５が示すように、設計によって、前記カバー１２の端部１２３は階段状刻み目１２４が含まれ、前記収容部２１の端部２１６は階段状刻み目１２４に対応した階段状突起部２１７を含むこともできる。前記階段状突起部２１７と前記階段状刻み目とのはめあいにより前記滅菌カバー１と前記収容瓶２は密封される。当然、前記カバー１２の階段状刻み目１２４が外面凹みに変え、それに対応させて前記収容部２１の階段状突起部を外面膨らみに変えてもよい。
【００２４】
図１から図３までが示すように、本考案の携帯型滅菌器１００の実施形態として、前記滅菌機構１１はさらにカバープレート１１４と押し子１１５が含まれる押しボタンスイッチ１１３を有し、前記カバープレート１１４は前記カバー１２の上表面１２５で電源供給部１１１の上を覆い、そして前記電源供給部１１１の電源スイッチ１１６との間に隙間が形成され、前記押し子１１５は前記カバープレート１１４と電源供給部との前記隙間に位置し、それを押すことにより電源スイッチ１１６を作動させることができる。詳しく言うと、本実施形態において、前記カバープレート１１４は複数の係止具１１７が含まれ、前記カバー１２の複数の係止孔１２６に係止する。使用者がカバープレート１１４の押し子１１５に対応した位置を押した時、前記押し子１１５は電源スイッチ１１６を作動させて、電力を電源供給部１１１から前記紫外線照射部１１２に転送させる。
【００２５】
図２から図４までが示すように、本考案の携帯型滅菌器１００の実施形態として、前記カバー１２は下方にリングキャップ１２７が延設され、囲まれたキャップ内空間１２８が形成される。前記結合部１２１は前記リングキャップ１２７を有する。詳しく言うと、結合部１２１と連接部２１２が結合することで、前記収容空間２１１は前記リングキャップ１２７と前記収容部２１によって閉じ込められ、前記キャップ内空間１２８と共に大きな空間が生じる。当然、前記カバー１２はリングキャップ１２７とキャップ内空間１２８が無くても、結合部１２１と連接部２１２の結合を介して前記収容部２１と接合できる。
【００２６】
図３が示すように、本考案の携帯型滅菌器１００の実施形態として、前記滅菌機構１１はさらに前記電源供給部１１１と接続されたタイマー１１８が含まれる。これで、前記紫外線照射部１１２が設定した時間まで照射した後、前記電源供給部１１１は紫外線照射部１１２への電力転送を停止する。本実施形態においては、前記設定時間は六分に設定する。当然、本考案における設定時間はそれに限らず、六分以上や以下にすることもできる。
【００２７】
図１、図２及び図４が示すように、本考案の携帯型滅菌器１００の実施形態として、前記収容空間２１１の断面積は前記カバー１２と前記収容部２１の結合部の断面（即ち前記入り口２１３）に沿って、高さが下がるにつれて断面積も減少する。詳しく言うと、哺乳瓶３０１を収容した前記収容空間２１１にさらに前記おしゃぶり３０２、前記瓶栓３０３及び前記瓶蓋３０４を入れる場合、前記おしゃぶり３０２、前記瓶栓３０３及び前記瓶蓋３０４を前記収容空間２１１における前記紫外線照射部１１２に近付かせる（例えば前記キャップ内空間１２８の中）。この構造によって、前記哺乳瓶３０１、前記おしゃぶり３０２、前記瓶栓３０３及び前記瓶蓋３０４に対して照射した前記紫外線を互いに遮蔽させない収容効果をもたらし、滅菌効果が収容物の量によって変動することを防ぐ。前記携帯型滅菌器１００の高さＨは２５０センチから３５０センチまで、前記カバー１２と前記収容部２１と結合する所の断面（入り口２１３）の長さＬ１と幅Ｗ１は７５センチから１００センチまで、前記収容部２１の瓶底２１８の長さＬ２と幅Ｗ２は５５センチから８０センチまでであることが好ましい。
【００２８】
図６が示すように、本考案の別実施形態として、携帯型滅菌器１００ａは図１から図５までに示した携帯型滅菌器１００と大方類似している、相異の部分として、前記連接部２１２ａはねじ溝部であり、かつ前記結合部１２１ａは前記ねじ溝部に対応するねじ穴部である。前記接合部１２１ａは前記連接部２１２ａと連接し前記収容空間２１１が前記カバー１２と前記収容部２１によって密封される。
【００２９】
或いは図７が示すように、本考案の別実施形態として、携帯型滅菌器１００ｂの前記連接部２１２ｂは凸輪部であり、かつ前記結合部１２１ｂは前記凸輪部に対応する溝部である。前記接合部１２１ｂは前記連接部２１２ｂと連接し前記収容空間２１１が前記カバー１２と前記収容部２１によって密封される。当然、本考案はこれらに限らず、連接部は他の方法によっても結合部との結合が可能である。
【００３０】
当該分野の技術を熟知するものが理解できるように、本考案の好適な実施形態を前述の通り開示したが、これらは決して本考案に限定するものではない。本考案の主旨と領域を逸脱しない範囲内で各種の変更や修正を加えることができる。従って、本考案の特許請求の範囲は、このような変更や修正を含めて広く解釈されるべきである。
【符号の説明】
【００３１】
１００、１００ａ、１００ｂ 携帯型滅菌器
１ 滅菌カバー
１１ 滅菌機構
１１１ 電源供給部
１１２ 紫外線照射部
１１３ 押しボタンスイッチ
１１４ カバープレート
１１５ 押し子
１１６ 電源スイッチ
１１７ 係止具
１１８ タイマー
１２ カバー
１２１、１２１ａ、１２１ｂ 結合部
１２２ 係止孔
１２３ 端部
１２４ 階段状刻み目
１２５ 上表面
１２６ 係止穴
１２７ リングキャップ
１２８ キャップ内空間
２ 収容瓶
２１ 収容部
２１１ 収容空間
２１２、２１２ａ、２１２ｂ  連接部
２１３ 入り口
２１４ 延長板
２１５ 係止具
２１６ 端部
２１７ 階段状突起部
２１８ 瓶底
３０１ 哺乳瓶
３０２ おしゃぶり
３０３ 瓶栓
３０４ 瓶蓋
Ｄ キャップ方向
Ｈ 高さ
Ｌ１、Ｌ２ 長さ
Ｗ１、Ｗ２ 幅
【図１】
0003188870.tif 000003
【図２】
0003188870.tif 000004
【図３】
0003188870.tif 000005
【図４】
0003188870.tif 000006
【図５】
0003188870.tif 000007
【図６】
0003188870.tif 000008
【図７】
0003188870.tif 000009